(57)【要約】【課題】装置へのディスクの装着をより容易で、自由度の高い方法で行うことができるディスク装置を提供することを目的とする。【解決手段】ターンテーブルのディスク載置面の待機位置と記録再生位置との間に固定して配置されたフロントカバーにポケット部を設け、ポケット部の底面部に設けた溝部からフロントカバーのディスク載置面に向かって傾斜面を構成し、ポケット部にディスクを載置することで、センタリング手段がディスクの外周に当接して移送し、ディスク中心をターンテーブル中心へセンタリングすることで、ディスクを装置に装着する構成とする。【選択図】図１
2006092583.tif 000002
【特許請求の範囲】
【請求項１】
ケースに収納されたディスク、あるいは大径のディスク、小径のディスクが、記録／再生可能な装置であって、
前記ディスクを記録／再生する光ピックアップと、前記ディスクを載置し前記光ピックアップが記録再生可能な位置で回転せしめるターンテーブルとを載置し、記録再生位置と待機位置との間を移動するトラバースと、
前記ターンテーブルのディスク載置面の前記待機位置と前記記録再生位置との間に固定配置され、前記ディスクを載置するディスク載置面を有したフロントカバーと前記ディスクに当接し、前記ディスクの中心を前記ターンテーブルの中心へ移送するセンタリング手段とで構成され、
前記ディスクを記録再生状態にする際、前記トラバースを前記待機位置から前記記録再生位置へ移動できるように、前記フロントカバーの前記ディスク載置面の一部に開口部を有し、
前記フロントカバーの一部には、前記ディスクを保持できるポケット部を備え、
前記光ピックアップの中心軸と前記ターンテーブルの中心軸を含む第一の平面及び前記フロントカバーのディスク載置面に対して略垂直方向に設けた前記ポケット部の底面部において、前記第一の平面と直交する位置に、平面部を持った溝部を前記フロントカバーのディスク載置面の鉛直方向に前記フロントカバーのディスク載置面から離間した位置に設け、
前記フロントカバーのディスク載置面から前記溝部へ傾斜面を形設することを特徴とするディスク装置。
【請求項２】
ポケット部の底面部において、溝部の外側の底面部にはディスクを収納したケースを載置するための平面部を設けることを特徴とする請求項１記載のディスク装置。
【発明の詳細な説明】
【技術分野】
【０００１】
本発明は、ＣＤやＤＶＤ等の記録用または再生用のディスク、あるいはディスクを収納したケースを装着し、記録または再生するためのディスク装置に関するものである。
【背景技術】
【０００２】
近年、ＤＶＤに記録再生可能なＤＶＤレコーダーが急速に普及し始めているが、今後の更なる普及拡大のために、ユニバーサルデザインなどの誰にでも使いやすい、より使いやすさを追求したディスク装置の開発が求められている。
従来のディスク装置では、ディスク装着方法として、装置から出てくるトレイ上にディスクを載置してトレイを装置内に引き込むことでディスクを装着するトレイ方式が一般である。
【０００３】
以下に従来のディスク装置について説明する。
【０００４】
従来、ディスク装置は特公平４−６７７１２号公報（特許第１９３２４７３号）に記載されたものが知られている。
【０００５】
従来のディスク装置は、ディスク使用機器の前面パネルにトレイ出し入れ用の開口部が設けられ、この開口部から出てきたトレイ上にディスクが載置された後、該ディスクがトレイごと装置内部の所定位置（ターンテーブルへの着脱位置）に引き込まれるように構成されている。そして、装置内部に引き込まれたトレイ上のディスクを、ターンテーブル上に装着し、クランパとの間に挟み込んだ状態で所定の回転数で回転させながら、例えば再生する場合にあっては、このディスク上に記録された情報信号を記録再生装置により再生する。すなわち、ディスク上の所定範囲に記録された信号のトラック位置に応じて、信号読み取りのためのピックアップを移動させることにより、情報信号の再生が行われるようになっている。
【特許文献１】特公平４−６７７１２号公報
【発明の開示】
【発明が解決しようとする課題】
【０００６】
しかしながら、上記の従来の構成では、ディスクを装置に装着するには、トレイを引き出し、トレイにディスクを載置後、再度トレイを装置内に戻すという一連の動作が必要であることや、ディスクをトレイに設けられたディスク載置用の凹部に位置決めして載置する必要があり、ディスク装着に手間が掛かり、ディスクの装着方法に自由度が少ないという問題点を有していた。
本発明は上記従来の問題点を解決するもので、ディスクの装着を容易で、自由度の高い方法で行えるディスク装置を提供することを目的とする。
【課題を解決するための手段】
【０００７】
この目的を達成するために本発明のディスク装置は、ディスクあるいはケースに収納されたディスクが、記録／再生可能な装置であって、ディスクを記録／再生する光ピックアップと、ディスクを載置し光ピックアップが記録再生可能な位置で回転せしめるターンテーブルとを載置し、記録再生位置と待機位置との間を移動するトラバースと、ターンテーブルのディスク載置面の待機位置と記録再生位置との間に固定配置され、ディスクを載置するディスク載置面を有したフロントカバーとディスクに当接し、ディスクの中心をターンテーブルの中心へ移送するセンタリング手段とで構成され、ディスクを記録再生状態にする際、トラバースを待機位置から記録再生位置へ移動できるように、フロントカバーのディスク載置面の一部に開口部を有し、センタリング手段は、ターンテーブルの中心を通り、ターンテーブルのディスク載置面に直角に交わる第一の平面、及びターンテーブルの中心を通り第一の平面と略直角に交わる第二の平面を中心に対称的にディスクに当接するように構成されたセンタリング部材で構成されている。
【０００８】
この構成によって、ディスク装置へのディスクの装着を容易で、自由度の高い方法で行えるという優れた効果が得られる。
【発明の効果】
【０００９】
以上のように本発明は、ディスク装置へのディスクの装着を容易で、自由度の高い方法で行えるという優れた効果が得られる。
【発明を実施するための最良の形態】
【００１０】
本発明の請求項１に記載の発明は、ケースに収納されたディスク、あるいは大径のディスク、小径のディスクが、記録／再生可能な装置であって、ディスクを記録／再生する光ピックアップと、ディスクを載置し光ピックアップが記録再生可能な位置で回転せしめるターンテーブルとを載置し、記録再生位置と待機位置との間を移動するトラバースと、ターンテーブルのディスク載置面の待機位置と記録再生位置との間に固定配置され、ディスクを載置するディスク載置面を有したフロントカバーとディスクに当接し、ディスクの中心をターンテーブルの中心へ移送するセンタリング手段とで構成され、ディスクを記録再生状態にする際、トラバースを待機位置から記録再生位置へ移動できるように、フロントカバーのディスク載置面の一部に開口部を有し、フロントカバーの一部には、ディスクを保持できるポケット部を備え、光ピックアップの中心軸とターンテーブルの中心軸を含む第一の平面及びフロントカバーのディスク載置面に対して略垂直方向に設けたポケット部の底面部において、第一の平面と直交する位置に、平面部を持った溝部をフロントカバーのディスク載置面の鉛直方向にフロントカバーのディスク載置面から離間した位置に設け、フロントカバーのディスク載置面から溝部へ傾斜面を形設することを特徴としたものであり、ディスクをフロントカバーのポケット部に載置すれば、容易にディスクの外周にセンタリング部材を当接することができ、自動的にディスク中心をターンテーブル中心にセンタリングし、安定して精度の高いセンタリングを行うことができるため、ディスク装着を容易にできるという作用を有する。
【００１１】
本発明の請求項２に記載の発明は、ポケット部の底面部において、溝部の外側の底面部にはディスクを収納したケースを載置するための平面部を設けることを特徴としたものであり、ポケット部にディスク及びディスクを収納したケースを共に安定して載置できるという作用を有する。
【００１２】
以下、本発明の実施の形態について、図面を用いて説明する。
【００１３】
（実施の形態１）
図１は、本発明の実施の形態１におけるディスク装置のディスク装着状態の平面図である。ここでディスク装着状態とは、ユーザーが装置にディスクを装着する時の装置の状態のことである。図２はディスク装置のディスク装着状態の側面断面図で、図１におけるＺ−Ｚ部の断面である。図３及び図５はディスク装置のディスクのセンタリング完了状態の平面図、図４はディスク装置のディスクのセンタリング完了状態の側面断面図で、図３におけるＹ−Ｙ部の断面である。なお、図１〜図４は大径ディスク（例えば直径１２センチディスク）を用いた例を示している。図５はディスク装置にケースに収納されたディスク（以降カートリッジと呼ぶ）を装着した時の平面図、図６はディスク装置にカートリッジを装着した時の側面断面図で、図５におけるＸ−Ｘ部の断面である。
【００１４】
図１から図６において、１はディスク４を載置して記録または再生時にディスク４を回転させるターンテーブル、２はディスク４に信号を記録または再生する光ピックアップである。
【００１５】
３はディスク装置の前面を覆うフロントカバー、３ａはフロントカバー３に設けられたディスク載置面で、光ピックアップ２の光軸方向に対し直交方向に設ける。３ｂはディスク載置面３ａの一部に設けた開口部で、ディスク装着状態と記録再生状態との切換時に、ターンテープル１のディスク載置面が挿通移動できるように設けられている。
【００１６】
１３はフロントカバー３のディスク載置面３ａにおけるターンテーブル１及び光ピックアップ２から離間した位置に設けられたポケット部であり、ポケット部１３のディスク載置面３ａに対して略垂直方向の突出量は、本装置を縦置き（ディスク載置面３ａが、本装置の設置面に対して略垂直になるような設置方法）に設置した際に、ディスク及びカートリッジを載置できるような寸法に設定されている。またポケット部１３には、図１に示すように長手方向の略中央に溝部１３ｃが設けられ、ディスク４を載置した時に、この溝部１３ｃにディスク４が載置される。溝部１３ｃは、図２に示すようにディスク載置面３ａ側に第１のテーパ部１３ａと、第１のテーパ部１３ａに対向した位置に第２のテーパ部１３ｂを設けており、第１のテーパ部１３ａと第２のテーパ部１３ｂとで図２に示すように略Ｖ字型の溝を形成している。また、図１に示すように溝部１３ｃの長手方向両端には平坦部１３ｄが形成されており、カートリッジ９がポケット部１３に載置される時は、この平坦部１３ｄ上にカートリッジ９が載置される。そして、この平坦部１３ｄは、カートリッジ９が載置された時にカートリッジ９に収納されたディスク４の中心と記録再生状態のターンテーブル１の中心とが合うような位置に設ける。つまり、カートリッジ９を載置した時のセンタリング基準面となる。なお、本実施の形態では第１及び第２のテーパ部１３ａ及び１３ｂのように２カ所のテーパ部を設けたが、第１のテーパ部１３ａのみでも構わない。１３ｅは前壁で、ディスク載置面３ａから所定の間隔を介してディスク載置面３ａに略平行に設けられている。本実施例では、前壁１３ｅは、カートリッジ９を載置できるように、カートリッジ９の厚み以上の間隔を介してディスク載置面３ａに略平行に設けられている。この前壁１３ｅにより、カートリッジ９装着時のカートリッジ脱落を防いでいる。なおポケット部１３は、図１に示すようにディスク載置面３ａ下端の幅方向全域に渡って設けられているものではなく、平坦部１３ｄや溝部１３ｃは幅方向略中央部のみに設けられている。そして幅方向両端（センタリング手段８近傍）においては、前壁１３ｅのみが設けられており平坦部１３ｄや溝部１３ｃは設けられていない。これにより、センタリング手段８が回動する時、センタリング手段とポケット部１３との干渉を防いでいる。
【００１７】
４は記録媒体であるディスクで、本実施の形態では大径ディスク、小径ディスク、大径ディスクを収納したカートリッジを用いることができる。
【００１８】
５はターンテーブル１と光ピックアップ２を搭載したトラバースベースで、支軸５ａを中心に待機位置と記録再生位置との間で回動できるように設けられている。待機位置とは、ターンテーブル１のディスク載置面及び光ピックアップ２はフロントカバー３のディスク載置面３ａより突出しない位置（つまり、ディスク載置面３ａより下部に位置した状態）である。記録再生位置とは、ターンテーブル１のディスク載置面がフロントカバー３のディスク載置面３ａより突出して、ディスク４を載置して記録再生可能な位置である。トラバースベース５の回動手段については図示しないが、例えば、モーターと歯車で構成される。
【００１９】
６は光ピックアップ２がディスク４の半径方向に移動する際にガイドとなるガイド軸、７は光ピックアップ２の移動のために用いる駆動モーターである。
【００２０】
８はポケット部１３に載置されたディスク４の中心をターンテーブル１の中心に合うようにディスク４を矢印Ａ方向へ移送するためのセンタリング手段であり、本実施の形態では、８ａ〜８ｄに示すようにターンテーブル１を中心に上下左右対称に４個のセンタリング手段によって構成され、ターンテーブル１の中心軸と光ピックアップ２の中心軸を含む第一の平面、及びターンテーブル１の中心を通り第一の平面と略直角に交わる第二の平面を中心に対称的にディスク４に当接するように構成されている。第１及び第２のセンタリング手段８ａ及び８ｂは、ディスク４をディスク載置面３ａに載置した時に、ディスク４の上側を支持するものであり、第３及び第４のセンタリング手段８ｃ及び８ｄは、ディスク４をディスク載置面３ａに載置した時に、ディスク４の下側を支持するものであるが、ディスク４の外周部以外の部位を支持して移送させてもよい。また、各センタリング手段８ａ〜８ｄは、ディスク４及びカートリッジ９をディスク載置面３ａに載置可能なように退避した第１の位置（図１）と、ディスク４を支持してセンタリング位置へ移動が完了した第２の位置（図３）との間を移動可能なように、それぞれ矢印Ａ’あるいはＤ’方向へそれぞれ支軸８ｅを中心に回動可能となっている。また、各センタリング手段８ａ〜８ｄの端部にはそれぞれギヤ８ｆが設けられ、各ギヤ８ｆは各支軸８ｅを中心に配置されている。センタリング手段８ａと８ｃに設けられたギヤ８ｆは互いに噛み合い、センタリング手段８ｂと８ｄに設けられたギヤ８ｆは互いに噛み合うようになっているため、センタリング手段８ａと８ｃは同タイミングで回動し、センタリング手段８ｂと８ｄは同タイミングで回動する構成になっている。また、センタリング手段８ａ〜８ｄは同タイミングで回動するように、内部のメカニズムを構成している。
【００２１】
各センタリング手段８ａ〜８ｄは、回動することで、フロントカバー３のディスク載置面３ａあるいはポケット部１３に載置された大径ディスク及び小径ディスクをすくい上げることができる長さで構成される。
【００２２】
また、各センタリング手段８ａ〜８ｄは、センタリング位置で回動動作を停止させる構成を備えており、その構成としては、ストッパー（図示せず）に当接させる構成や、ギヤ８ｆにスリップ手段（図示せず）を設けて駆動力をギヤ８ｆに伝えないようにする構成などにより、回動動作を停止する構成となっている。本実施の形態では、大径ディスクと小径ディスクとカートリッジとを装着可能としており、例えばカートリッジ及び大径ディスクをセンタリングする際はスリップ機構によりセンタリング手段の回動を停止させ、小径ディスクをセンタリングする際はストッパーにてセンタリング手段の回動を停止させる構成が考えられる。また、スリップ機構のみ設け、全てのディスクについてスリップ機構によりセンタリング手段の回動を停止させてもよい。このようにセンタリング手段８ａ〜８ｄの回動動作を停止させる手段を、以下「回動停止手段」と称する。
【００２３】
また、センタリング手段８ａ〜８ｄは、ターンテーブル１の中心を通り、ターンテーブル１のディスク載置面に直角に交わる第一の平面、及びターンテーブルの中心を通り第一の平面と略直角に交わる第二の平面を中心に対称的にディスク４に当接するように構成され、センタリング手段８ａ〜８ｄは第一の平面を中心に対称的に一対ずつ設けられ、それぞれ第二の平面を中心に対称的に回動するように構成されるものである。なお、各センタリング手段８ａ〜８ｄの駆動手段については図示しないが、例えば、モーターと歯車とラックで構成される。
【００２４】
また、ポケット部１３にカートリッジ９が載置された時は、センタリング手段８ａ〜８ｄは、回動してカートリッジ９に当接した時、回転停止手段によって、回動動作を停止するように構成される。また、図示しないが、例えば、スイッチ式のカートリッジ検出機構を装置に設け、ポケット部１３にカートリッジ９が載置された場合は、カートリッジが検出され、第１〜第４のセンタリング手段８ａ〜８ｄは回動量が制限されるように制御して回動動作する構成としてもよい。
【００２５】
９はディスクを収納したカートリッジであり、略四角形である。９ｂはカートリッジ９に開閉自在に設けられたシャッターで、開くことで内部のディスク４の一部を露出させることができる。９ａ及び９ｃはカートリッジ９の左端部及び右端部である。
【００２６】
１０はクランプ動作をするためのクランプベースで、ディスク装着状態において、フロントカバー３のディスク載置面３ａにディスク４を装着する際に、ディスク４がクランプベース１０に当接しないように、ディスク載置面３ａの光ピックアップ２の光軸方向への投影面に重ならない位置に待機している。本実施例では、クランプベース１０はディスク載置面３ａの右側の位置に待機している。なお、ディスク載置面３ａの左側の位置に待機していてもよい。またクランプベース１０は、光ピックアップ２の移動方向に対して直交方向に、かつターンテーブル１のディスク載置面に平行に、待機位置からクランプ位置まで移動できるように構成されている。クランプ位置とはクランプベース１０がターンテーブル１のディスク載置面の真上に移動してクランプ動作が可能な位置である。クランプベース１０の移動手段は、図示していないが、例えば、クランプベース１０にラックを設けて、モーターと歯車によって移動する。なお、クランプベース１０は、ディスク載置面３ａに載置されたディスク４に当接しないように構成する。
【００２７】
１１は、ターンテーブル１のディスク載置面にディスク４をクランプするクランパで、ターンテーブル１のディスク載置面の鉛直方向に移動できるようにクランプベース１０に備えられている。クランパ１１は、磁性体を内設しており、ターンテーブル１のディスク搭載面の被磁性体に磁力で着く構成になっている。
【００２８】
以上のように構成されたディスク装置について、図１から図６を用いてその動作を説明する。
【００２９】
まず、大径ディスク装着動作について、図１〜図４を用いて説明する。
【００３０】
使用者によってディスク４がディスク載置面３ａ及びポケット部１３上に載置された状態では、ディスク４の中心はターンテーブル１の中心よりも下方向に変位した位置にある。また、ポケット部１３には図２に示すように第１及び第２のテーパ部１３ａ及び１３ｂを設けていることにより、ポケット部１３に載置されたディスク４の下端は第１及び第２のテーパ部１３ａ及び１３ｂに案内され、ディスク４の下端近傍の面とディスク載置面３ａとの間に間隙を生じさせることができる。この時、ディスク４の上端近傍はディスク載置面３ａに当接している。よって、ディスク４は図２に示すようにディスク載置面３ａに対して傾斜してポケット部１３に載置されることとなる。
【００３１】
またディスク４の左右方向の位置規制は、溝部１３ｃから平坦部１３ｄへの段差部分およびセンタリング手段８ａ〜８ｄにより、ある程度の位置規制がなされている。この時、センタリング手段８ａ〜８ｄは、ディスク載置面３ａの投影面上に位置しないように退避している。
【００３２】
次に、記録再生開始のスイッチ（図示せず）がＯＮされると、クランプベース１０が図１に示す待機位置から矢印Ｂ方向（光ピックアップ２の移動方向に対して直交方向）へ移動し、図３に示すクランプ位置まで移動する。
【００３３】
次に、ギヤ８ｆに駆動力が伝達され、センタリング手段８ａ〜８ｄがそれぞれ支軸８ｅを軸に矢印Ａ’方向へ同時に回動する。この時、センタリング手段８ｃ及び８ｄの先端近傍は、前壁１３ｅとディスク載置面３ａとの間の空間を通過し、ポケット部１３に接触あるいは当接することなく回動する。そしてセンタリング手段８ａ〜８ｄがディスク４の外周部に当接し、センタリング手段８ａ〜８ｄのディスク当接面をディスク４が滑りながら、ディスク４を矢印Ａ方向へ移動させることができる。本実施の形態では、ディスク４をポケット部１３に載置した状態では、ディスク４の中心はターンテーブル１の中心よりも下方向に変位した位置となっているため、ディスク４がポケット部１３に載置された場合は、センタリング手段８ａ〜８ｄが回動時、まず下側のセンタリング手段８ｃ及び８ｄがディスク４の外周部に当接して、そのまま回動動作を継続することでディスク４を矢印Ａ方向へ持ち上げる動作となる。下側のセンタリング手段８ｃ及び８ｄがディスク４外周部に当接する際、ディスク４とディスク載置面３ａとの間に間隙があるため、センタリング手段８ｃ及び８ｄがディスク４を確実にすくい上げることができる。次に上側のセンタリング手段８ａ及び８ｂがディスク４の外周部に当接して支持する。
【００３４】
そして、ディスク４が図３に示すセンタリング完了位置まで到達すると、第１〜第４のセンタリング手段８ａ〜８ｄは回動停止手段により回動動作を停止する。回動停止手段は、第１〜第４のセンタリング手段８ａ〜８ｄによって移動されるディスク４の中心がターンテーブル１の中心に合うセンタリング位置で、停止するように設けられる。
【００３５】
その後、図２に示すようにトラバースベース５が支軸５ａを中心に矢印Ｃ方向へ回動し、ターンテーブル１が開口部３ｂを挿通して記録再生位置まで動き、ディスク４はターンテーブル１のディスク載置面に載って持ち上げられる。それに伴ってクランパ１１が、磁力によってターンテーブル１のディスク載置面に引き寄せられて、ディスク４はターンテーブル１とクランパ１１によってクランプされ、図４に示すような記録再生可能状態になる。
【００３６】
図３及び図４に示すようにトラバースベース５が記録再生位置に移動を完了すると、センタリング手段８ａ〜８ｄはそれぞれ矢印Ｄ’方向へ回動し、ターンテーブル１に載置されたディスク４の外周から離間する位置に退避する。この時も、センタリング手段８ｃ及び８ｄの先端近傍は、前壁１３ｅとディスク載置面３ａとの間の空間を通過し、ポケット部１３に接触あるいは当接することなく回動する。本実施の形態では、第１〜第４のセンタリング手段８ａ〜８ｄは図１に示す第１の位置へ移動するようにした。この時、ディスク４はターンテーブル１に保持されている。そして、ターンテーブル１が回転してディスク４を回転させ、ディスク４に対して情報を記録再生することができる。第１〜第４のセンタリング手段８ａ〜８ｄは、ターンテーブル１に載置されたディスク４の外周から離間していれば、第１の位置と第２の位置との間のどの位置に退避しても良い。
【００３７】
なお、上記ディスク装着動作は、クランプベース移動、センタリング、トラバース移動（クランプ）という順序で行っているが、必ずしもこの順序にする必要はなく、ディスクをクランプ状態まで移行できるのであれば順序が変わってもよい。
【００３８】
次に装置からディスク４を取り出す場合について説明する。
【００３９】
ディスク４が記録再生位置にある状態からディスク取出し用のスイッチ（図示せず）がＯＮされると、ターンテーブル１の回転が停止し、ディスク４の回転が停止する。そして、第１〜第４のセンタリング手段８ａ〜８ｄが第１の位置（ディスクから離間した位置）から、ディスク４外周を支持する第２の位置まで矢印Ａ’方向へ回動し、ディスク４の外周部を支持する。この時、センタリング手段８ｃ及び８ｄの先端近傍は、前壁１３ｅとディスク載置面３ａとの間の空間を通過し、ポケット部１３に接触あるいは当接することなく回動する。その後、トラバースベース５は、支軸５ａを中心に矢印Ｆ方向へ回動し、記録再生状態から図２に示す待機状態に移動する。それに伴って、ターンテーブル１とクランパ１１とで保持されていたディスク４は、ターンテーブル１のディスク載置面及びクランパ１１から離間する。
【００４０】
その後、センタリング手段８ａ〜８ｄはそれぞれ矢印Ｄ’方向へ回動し、ディスク４がセンタリング手段８ｃと８ｄのディスク当接面を滑り、ポケット部１３上に載置される。この時も、センタリング手段８ｃ及び８ｄの先端近傍は、前壁１３ｅとディスク載置面３ａとの間の空間を通過し、ポケット部１３に接触あるいは当接することなく回動する。次に、クランプベース１０が図３に示すクランプ位置から矢印Ｅ方向へ移動し、図１に示す待機位置に移動する。これにより、ディスク４を取り出し可能になる。
【００４１】
なお、上記ディスク取り出し動作は、クランプ解除、センタリング解除、クランプベース退避という順序で行っているが、必ずしもこの順序にする必要はなく、ディスクをクランプ状態から取り出し可能状態へ移行できるのであれば順序が変わってもよい。
【００４２】
なお、本装置は、小径ディスクも装着可能としている。小径ディスクの装着動作は、前述の大径ディスクの装着動作とほぼ同じであるが、センタリング手段８ａ〜８ｄの回動量が異なる。小径ディスクは大径ディスクよりも直径が小さいため、センタリングする際は大きな回動量が必要となる。また、センタリング手段８ａ〜８ｄの長さや配置も、ポケット部１３上に載置された小径ディスクを保持可能に最適化する必要がある。本実施の形態のセンタリング手段８ａ〜８ｄは、大径ディスクも小径ディスクも保持可能な長さ及び配置となっている。また、ポケット部１３に載置された小径ディスクは、前述の大径ディスクと同様、第１及び第２のテーパ部１３ａ及び１３ｂによりディスク下端近傍においてディスク載置面３ａとの間に間隙を生じさせることができる。これにより、センタリング手段８ｃ及び８ｄにより確実に小径ディスクをすくい上げることができる。なお、詳しい動作説明については省略する。
【００４３】
次に、カートリッジ９の装着動作について、図５及び図６を用いて説明する。
【００４４】
図５に示すように、第１〜第４のセンタリング手段８ａ〜８ｄが第１の位置にある状態において、カートリッジ９をディスク載置面３ａ及びポケット部１３の平坦部１３ｄに載置することができる。そして、使用者によってカートリッジ９がディスク載置面３ａ及び平坦部１３ｄに載置された状態では、ディスク載置面３ａの平面方向左右端に位置したセンタリング手段８ａ〜８ｄにより、ある程度の左右方向の位置規制がなされる。この時、第１及び第３のセンタリング手段８ａ及び８ｃは、カートリッジ９の左端部９ａには接触せず離間した状態となっている。また第２及び第４のセンタリング手段８ｂ及び８ｄは、カートリッジ９の右端部９ｃには接触せず離間した状態となっている。
【００４５】
次に、記録再生開始のスイッチ（図示せず）がＯＮされると、クランプベース１０が図５に示す待機位置から矢印Ｈ方向（光ピックアップ２の移動方向に対して直交方向）へ移動し、ターンテーブル１の中心とクランパ１１の中心とが略一致するクランプ位置まで移動する（図示せず）。
【００４６】
次に、センタリング手段８ａ〜８ｄが矢印Ａ’方向へそれぞれ回動するが、僅かに回動するのみで、センタリング手段８ａ〜８ｄはカートリッジ９の左端部９ａ及び右端部９ｃに当接し、センタリング手段８ａ〜８ｄは回動停止手段により回動動作は停止する。ここで、第１〜第４のセンタリング手段８ａ〜８ｄがカートリッジ９に当接した時、スライド動作を停止させる手段としては、例えば、センタリング手段をスリップ構造で構成し、カートリッジ９に当接した後、スリップすることでスライド動作を停止させる手段がある。なお、カートリッジ９はポケット部１３に載置されることで、カートリッジ９の上下方向の位置決めを行うことができている。
【００４７】
その後、カートリッジ９に設けられたシャッター９ｂがシャッター開閉機構（図示せず）によって開く。
【００４８】
次に、トラバースベース５が、図６に示すように支軸５ａを中心に矢印Ｊ方向へ回動し、ターンテーブル１が開口部３ｂを挿通して記録再生位置まで動き、ディスク４はターンテーブル１のディスク載置面に載って持ち上げられる。それに伴ってクランパ１１が、磁力によってターンテーブル１のディスク載置面に引き寄せられて、ディスク４はターンテーブル１とクランパ１１によってクランプされ、記録再生状態になる。そして、ターンテーブル１が回転してディスク４を回転させ、ディスク４に対して情報を記録再生することができる。
【００４９】
次に、装置からカートリッジ９を取り出す場合について説明する。
【００５０】
カートリッジ９内のディスク４が記録再生位置にある状態においてディスク取出し用のスイッチ（図示せず）がＯＮされると、ターンテーブル１の回転が停止し、ディスク４の回転が停止する。
【００５１】
そして、第１〜第４のセンタリング手段８ａ〜８ｄがカートリッジ９の左端部９ａ及び右端部９ｃに当接し支持している位置から、センタリング手段８ａ〜８ｄが矢印Ｄ’方向へ回動し、センタリング手段８ａ〜８ｄはカートリッジ９から離間し、支持を解除する。なお、この時のセンタリング手段８ａ〜８ｄの回動量は僅かなものである。
【００５２】
次に、トラバースベース５は、支軸５ａを中心に矢印Ｊの反対方向へ回動し、図６に示すような待機状態に移動する。それに伴って、ターンテーブル１とクランパ１１とで保持されていたディスク４は、ターンテーブル１のディスク載置面から外れる。次に、クランプベース１０がクランプ位置から矢印Ｈの反対方向へ移動し、図５に示す待機位置に移動し、カートリッジ９を取り出し可能な状態になる。
【００５３】
以上のように本実施の形態１によれば、ディスク４を載置するポケット部１３の内部に溝部１３ｃを設け、さらに溝部１３ｃの少なくともディスク載置面３ａ側に第１のテーパ部１３ａを設けることにより、ディスク４をポケット部１３に載置した際に、ディスク４の下端近傍においてディスク載置面３ａとの間に間隙を生じさせることができ、これによりセンタリング手段８ｃ及び８ｄにてディスク４の外周を確実に支持することができる。
【００５４】
また、ポケット部１３の溝部１３ｃの両側に平坦部１３ｄを設けることにより、ポケット部１３にカートリッジ９の位置を規制して安定して載置することができる。
【００５５】
また、フロントカバー３の一部にターンテーブル１が挿通移動できるような開口部３ｂを設け、さらにフロントカバー３の左右にセンタリング手段８ａ〜８ｄを設けることにより、ディスク４をディスク載置面３ａ及びポケット部１３上に載置すれば、ディスク４の中心がターンテーブル１の中心に合うように自動的に移送することができるようになり、ディスク４を細かく位置決めして装着する必要はなく、装着が容易にできる。また、４方向からディスクを支持するため、センタリング可能なディスク載置範囲が広く、ディスク装着の自由度を高くできる。
【００５６】
なお、本実施の形態の回動停止手段はスリップ機構やストッパーなど機構的手段によるものとしたが、電気的制御によるものとしてもよい。
【００５７】
なお、本実施例では、センタリング手段として左右上下一対の部材が上下一対で回動する手段を用いたが、別のセンタリング手段を用いても良い。例えば、ディスク４を３点で支持するセンタリング手段などを用いても良い。
【００５８】
なお、本実施例ではディスク４をターンテーブル１にクランプする手段として、クランプベース１０を用いて、クランプベース１０をディスク載置面に平行に移動させる手段を用いたが、クランプベース１０を別の方向から平行移動や回動させる等の別の手段を用いても良い。また、クランプベース１０を用いずに、ターンテーブル１だけでクランプさせる手段を用いても良い。
【００５９】
なお、本発明は、ディスクのみを記録再生できるディスク専用のディスク装置にも、カートリッジのみを記録再生できるディスク装置にも、ディスクとカートリッジの両方を記録再生できるディスク装置にも適用することが可能である。
【００６０】
なお、本発明は上記した実施の形態に限定されるものではない。
【産業上の利用可能性】
【００６１】
本発明にかかるディスク装置は、ターンテーブルのディスク載置面の待機位置と記録再生位置との間に固定して配置されたフロントカバーにポケット部が設けられ、ポケット部の底面部に設けられた溝部からフロントカバーのディスク載置面に向かって傾斜面が構成され、ポケット部にディスクを載置することで、センタリング手段がディスクの外周に当接して移送し、ディスク中心をターンテーブル中心へセンタリングすることで、ディスクを装置に装着する方式によって、ディスク装置へのディスクの装着を容易で自由度の高い方法で行うことが必要な用途にも適用できる。
【図面の簡単な説明】
【００６２】
【図１】本発明の実施の形態１におけるディスク装置のディスク装着状態の平面図
【図２】本発明の実施の形態１におけるディスク装置のディスク装着状態の側面断面図
【図３】本発明の実施の形態１におけるディスク装置のディスクのセンタリング完了状態の平面図
【図４】本発明の実施の形態１におけるディスク装置のディスクのセンタリング完了状態の側面断面図
【図５】本発明の実施の形態１におけるディスク装置にディスクを収納したケースを装着した時の平面図
【図６】本発明の実施の形態１におけるディスク装置にディスクを収納したケースを装着した時の側面断面図
【符号の説明】
【００６３】
１    ターンテーブル
２    光ピックアップ
３    フロントカバー
３ａ    ディスク載置面
３ｂ    開口部
４    ディスク
５    トラバースベース
５ａ    支軸
６    ガイド軸
７    駆動モーター
８    センタリング手段
８ａ    第１のセンタリング手段
８ｂ    第２のセンタリング手段
８ｃ    第３のセンタリング手段
８ｄ    第４のセンタリング手段
８ｅ    センタリング手段の回動軸
８ｆ    センタリング手段のギヤ部
９    カートリッジ
９ｂ    シャッター
１０    クランプベース
１１    クランパ
１３    ポケット部
１３ａ    第一のテーパ部
１３ｂ    第二のテーパ部
１３ｃ    溝部
１３ｄ    平坦部
１３ｅ    前壁
【図１】
2006092583.tif 000003
【図２】
2006092583.tif 000004
【図３】
2006092583.tif 000005
【図４】
2006092583.tif 000006
【図５】
2006092583.tif 000007
【図６】
2006092583.tif 000008